(57)【要約】  筐体と、使用時に薬含有カートリッジに係合する駆動シャフトと、自動駆動体と、自動駆動体が駆動シャフトを筐体を通して動かすようにするための、使用者が作動可能なトリガと、使用者が薬の吐出速度を制御できるようにするための、使用者が作動可能なブレーキとを備える装置が提供される。
2010508114.tif 000002
【特許請求の範囲】
【請求項１】
薬吐出装置であって、
筐体と、
使用時に薬含有カートリッジに係合する駆動シャフトと、
自動駆動体と、
自動駆動体が駆動シャフトを筐体を通して動かすようにするための、使用者が作動可能なトリガと、
使用者が薬の吐出速度を制御できるようにするための、使用者が作動可能なブレーキとを備える、薬吐出装置。
【請求項２】
ブレーキはトリガに配置されているため、使用時、トリガに対する圧力によってブレーキが作動する、請求項１に記載の装置。
【請求項３】
投与量設定ノブと、
駆動体に配置される駆動体歯と、
筐体内に装着され、投与量設定ノブに回転可能に結合されるドラムと、
ロック固定部材歯に係合するように構成されるドラムに配置されるドラム歯と、
ドラムの外面の周りの螺旋トラックとを備え、螺旋トラックは、トリガに配置されるカム従動子に係合するように構成され、
使用時、ドラムが回転するとドラム歯が駆動体歯の上を動くため、歯が係合すると駆動体が駆動シャフトをロック固定し、歯が切離されると駆動体が駆動シャフトを放す、請求項１または２に記載の装置。
【請求項４】
ブレーキは、ドラムの動きを制限し、それによって駆動シャフトの動きを制限するように構成される、請求項３に記載の装置。
【請求項５】
筐体内に設置されるシャーシを備え、
ドラムは、シャーシ内に部分的に設置され、シャーシと同軸であり、
シャーシはさらに、カム従動子と接触するように構成される突起部を備える、請求項３または４に記載の装置。
【請求項６】
シャーシに配置されるシャーシ斜面と、
ドラムに配置されるドラム斜面とを備え、
使用時、シャーシに対してドラムが回転すると斜面が協働して、ドラムを、シャーシから離れるように軸方向に、カム従動子が螺旋トラックに係合できる位置にまで動かす、請求項５に記載の装置。
【請求項７】
筐体に対して固定されるロック固定円板をさらに備え、
ロック固定円板は、駆動シャフトが貫通可能な開口を有し、
ロック固定円板はさらに、ロック固定円板が駆動シャフトの一方向のみの動きを許すように、駆動シャフトをグリップするように構成される内側に向いた指を備える、先行する請求項のいずれか１つに記載の装置。
【請求項８】
トリガ上に弾性オーバーモールドを備えているため、使用時、トリガの動作によってオーバーモールドが変形し、その後トリガを放すとオーバーモールドが当初の形状に戻ることができ、それによってトリガを当初の位置に戻す、先行する請求項のいずれか１つに記載の装置。
【請求項９】
トリガと筐体との間に配置される板ばねを備え、
板ばねは、トリガを静止位置に向けて付勢する、請求項１から７のいずれか１つに記載の装置。
【請求項１０】
ブレーキは板ばねとしても作用する、請求項９に記載の装置。
【請求項１１】
投与量設定ノブの開口をさらに備え、これを通じて使用者は、薬含有部材と確実に接触するように駆動部材を操作し得る、請求項２に記載の装置。
【請求項１２】
薬吐出装置であって、
筐体と、
使用時に薬含有カートリッジに係合する駆動シャフトと、
自動駆動体と、
自動駆動体が駆動シャフトを筐体を通して動かすようにするための、使用者が作動可能なトリガと、
トリガに設置されるカム従動子とを備え、カム従動子は、駆動体に関連付けられた螺旋トラックに係合するように構成され、前記薬吐出装置はさらに、
筐体に対して固定され、カム従動子と接触するように構成される突出面を備える、薬吐出装置。
【請求項１３】
薬吐出装置であって、
筐体と、
筐体内で回転可能であり、自身の表面に形成された螺旋トラックを有するドラムと、
ドラムを筐体の中にねじ留めできるように前記トラックに係合可能なカム従動子と、
ドラムに設置される第１の斜面と、
筐体に対して固定される第２の斜面とを備え、
投与量設定時、ドラムが筐体に対して回転すると斜面が協働して、ドラムを筐体内で長手方向に動かし、それによってカム従動子を螺旋トラックに係合させる、薬吐出装置。
【請求項１４】
薬吐出装置であって、
筐体と、
使用時に薬含有カートリッジに係合する駆動部材と、
自動駆動体と、
自動駆動体が駆動シャフトを筐体を通して動かすようにするための、使用者が作動可能なトリガと、
薬吐出装置の開口とを備え、これを通じて使用者は、薬含有部材と確実に接触するように駆動部材を操作し得る、薬吐出装置。
【請求項１５】
開口は投与量設定ノブにある、請求項１４に記載の薬吐出装置。
【発明の詳細な説明】
【技術分野】
【０００１】
本発明は注入方法および装置に関し、特に、自動的な薬の吐出および可変の投与量設定を提供する注入方法および装置に関する。
【背景技術】
【０００２】
背景
ＵＳ５，７４３，８８９およびＵＳ６，８９９，６９８には、全体的にペン状の注射器であって、注入すべき薬の投与量に関連した位置にまでペン本体に対して回転可能な投与量ノブによって与えられる投与量計測装置を組込んだ注射器が記載されている。本体の中には、ばねと、歯のセットおよび溝付き螺旋トラックを備えるドラムと、薬カートリッジを押すように構成される駆動ロッドと、駆動ロッドを取外し可能に保持するよう構成されるロックとがある。ロックは、ドラムの歯に係合するように構成される歯のセットを含む。ペンは、突き出たカム従動子を有するトリガも含む。ノブを回転させると、カム従動子が螺旋トラックに係合し、ドラムはペンの筐体に対して回転運動を受ける。この運動によってばねが装填される。螺旋トラックによって、ドラムは確実にペンの主軸に沿って軸方向運動も受ける。ドラムの歯はロックの回転していない歯の上を動き、ロックの歯が回転時に昇降するにつれてロックを駆動ロッドから切離す。ロックの軸方向運動はドラムの軸方向運動に対応する。歯がロックとドラムとの間でほぼ完全に係合すると、ロックはばねの力を受けて駆動ロッドをグリップする。トリガを押すと、カム従動子が螺旋トラックとの係合から外れて持ち上げられ、圧縮ばねが緩むことによってロックおよびしたがって駆動ロッドが前方に押され、それによって一回分の薬を放出する。ロックの前面は、本体に対して固定された内部止めにぶつかる。ドラムとロックの歯とは完全に切離され、トリガカム従動子はもはや螺旋トラックに係合することができない。この位置におけるドラムの印は本体の窓を通じて表示され、これは、注射器がさらに使える状態にあることを示す。
【０００３】
これらの種類のペン注射器の問題点は、使用者が放出速度を制御できないことである。投与量は、ばねの緩まる力によって決定される速度で放出される。投与量がさらに多い場合、使用者は薬吐出の速さを制限できることを好む場合がある。
【発明の概要】
【課題を解決するための手段】
【０００４】
要約
本発明の第１の局面によると、薬吐出装置であって、筐体と、使用時に薬含有カートリッジに係合する駆動シャフトと、自動駆動体と、自動駆動体が駆動シャフトを筐体を通して動かすようにするための、使用者が作動可能なトリガと、使用者が薬の吐出速度を制御できるようにするための、使用者が作動可能なブレーキとを備える薬吐出装置が提供される。
【０００５】
「自動駆動体」とは、使用者から直接的に原動力を必要としない駆動体を意味する。自動駆動体は、ばね、予め曲げられたばね、空気力などによって動かすことができ、使用者によって直接的に押される注射器内の駆動体とは明確に異なる。
【０００６】
ブレーキはトリガに配置されているため、使用時、トリガに対する圧力によってブレーキが作動することが好ましい。
【０００７】
好ましくは、装置はさらに、投与量設定ノブと、駆動体に配置される駆動体歯と、筐体内に装着され、投与量設定ノブに回転可能に結合されるドラムと、ロック固定部材歯に係
合するように構成されるドラムに配置されるドラム歯と、ドラムの外面の周りの螺旋トラックとを備え、螺旋トラックは、トリガに配置されるカム従動子に係合するように構成され、使用時、ドラムが回転するとドラム歯が駆動体歯の上を動くため、歯が係合すると駆動体が駆動シャフトをロック固定し、歯が切離されると駆動体が駆動シャフトを放す。
【０００８】
ブレーキは、ドラムの動きを制限し、それによって駆動シャフトの動きを制限するように構成され得る。
【０００９】
成形および組立を促進するために、装置はさらに、筐体内に設置されるシャーシを備え得、ドラムは、シャーシ内に部分的に設置され、シャーシと同軸であり、シャーシはさらに、カム従動子と接触するように構成される突起部を備える。この場合、シャーシはシャーシに配置されるシャーシ斜面と、ドラムに配置されるドラム斜面とを備え、使用時、シャーシに対してドラムが回転すると斜面が協働して、ドラムを、シャーシから離れるように軸方向に、カム従動子が螺旋トラックに係合できる位置にまで動かすことが好ましい。
【００１０】
装置は、筐体に対して固定されるロック固定円板を備え得、ロック固定円板は、駆動シャフトが貫通可能な開口を有し、ロック固定円板はさらに、ロック固定円板が駆動シャフトの一方向のみの動きを許すように、駆動シャフトをグリップするように構成される内側に向いた指を備える。
【００１１】
使用後にトリガが当初の位置にまで戻ることができるようにするために、装置は、トリガ上に弾性オーバーモールドを備え得るため、使用時、トリガの動作によってオーバーモールドが変形し、その後トリガを放すとオーバーモールドが当初の形状に戻ることができる。代替的に、装置はトリガと筐体との間に配置される板ばねを備え得、板ばねは、トリガを静止位置に向けて付勢する。板ばねを用いる場合、ブレーキは板ばねとしても作用し得る。
【００１２】
「空発射」または薬カートリッジを圧力下で保管する必要性を減らすため、装置は投与量設定ノブの開口を備え得、これを通じて使用者は、薬含有部材と確実に接触するように駆動部材を操作し得る。
【００１３】
本発明の第２の局面によると、薬吐出装置であって、筐体と、使用時に薬含有カートリッジに係合する駆動シャフトと、自動駆動体と、自動駆動体が駆動シャフトを筐体を通して動かすようにするための、使用者が作動可能なトリガと、トリガに設置されるカム従動子とを備え、カム従動子は、駆動体に関連付けられた螺旋トラックに係合するように構成され、さらに、筐体に対して固定され、カム従動子と接触するように構成される突出面を備える薬吐出装置が提供される。
【００１４】
本発明の第３の局面によると、薬吐出装置であって、筐体と、筐体内で回転可能であり、自身の表面に形成された螺旋トラックを有するドラムと、ドラムを筐体の中にねじ留めできるように当該トラックに係合可能なカム従動子と、ドラムに設置される第１の斜面と、筐体に対して固定される第２の斜面とを備え、投与量設定時、ドラムが筐体に対して回転すると斜面が協働して、ドラムを筐体内で長手方向に動かし、それによってカム従動子を螺旋トラックに係合させる薬吐出装置が提供される。
【００１５】
本発明の第４の局面によると、薬吐出装置であって、筐体と、使用時に薬含有カートリッジに係合する駆動部材と、自動駆動体と、自動駆動体が駆動シャフトを筐体を通して動かすようにするための、使用者が作動可能なトリガと、薬吐出装置の開口とを備え、これを通じて使用者は、薬含有部材と確実に接触するように駆動部材を操作し得る薬吐出装置が提供される。
【００１６】
開口は投与量設定ノブにあることが好ましい。
本発明のよりよい理解のため、および本発明がどのように実施され得るかを示すために、一例として添付の図面を参照する。
【図面の簡単な説明】
【００１７】
【図１】ペン型インジェクタを概略的に示す図である。
【図２】図１のインジェクタの中の縦断面図である。
【図３】図１のインジェクタの分解斜視図である。
【図４】図１のインジェクタの投与量ノブの斜視図である。
【図５】図１のインジェクタのロックの斜視図である。
【図６】図１のインジェクタの駆動ロッドの斜視図である。
【図７Ａ】図１のインジェクタのドラムの中の縦断面図である。
【図７Ｂ】図１のインジェクタのドラムの斜視図である。
【図８Ａ】図１のインジェクタのシャーシの斜視図である。
【図８Ｂ】図８のシャーシの後部正面図である。
【図９】図１のインジェクタのつばの斜視図である。
【図１０Ａ】第１の代替的なブレーキ機構を示すインジェクタのトリガおよびドラムの側部正面図である。
【図１０Ｂ】第２の代替的なブレーキ機構を示すインジェクタのトリガおよびドラムの側部正面図である。
【図１０Ｃ】図１から図９のインジェクタのブレーキ機構を示すインジェクタのトリガおよびドラムの側部正面図である。
【発明を実施するための形態】
【００１８】
詳細な説明
図１から図９、および図１０Ｃまでには、使用者が操作可能な投与量設定機構を有するペン型インジェクタが図示される。インジェクタは、ともにカチッと嵌合する筐体１およびキャップ２を備えることが見られる。筐体の一端に投与量ノブ３が配置される。筐体の外面にはトリガ４も配置される。投与量ノブと反対の筐体１の端には、カートリッジケース（図示せず）が固定される。カートリッジケースは、使い捨ての薬充填カートリッジ（図示せず）を受けるように構成される。そのようなカートリッジは、自身の一端を封止するゴム栓を有し、他端は使い捨て針を受けるように構成される。カートリッジは典型的に複数回使用でき、すなわち、各カートリッジは複数回分の薬を含有する。使用者は注入ごとにカートリッジに新たな針を取付け、すべての投与量の使用後にカートリッジまたは装置全体を処分する。
【００１９】
投与量ノブ３は、使用者がグリップして投与量ノブを回転させるためのグリップ部を備える。グリップ部からは、突き出たスプライン６を有する円筒部が延在している。グリップ部は筐体１から突き出るのに対して、円筒部は筐体１内に同軸に設置される。
【００２０】
圧縮ばね５が筐体１内に同軸に設置され、装填済みカートリッジから薬を放出するための駆動力を与えるように構成される。ばね５は一端において投与量ノブ３に当接し、他端は、筐体１内に設置されるロック７に当接する。
【００２１】
ロック７は筐体１内に筐体１と同軸に設置され、筐体１に対して回転することができない。ロック７は、開口を規定する環状体を備える。３本のロック固定脚８が、筐体の主軸の方向に環状体から延在している。環状体は、ロック歯９のセットも備える。この実施例では３本のロック固定脚が設けられるが、任意の数のロック固定脚が使用可能であることが認識されるであろう。
【００２２】
駆動ロッド１０が筐体１内に設置される。駆動ロッド１０は、ロック７の環状体の開口を貫通する。駆動ロッド１０はさらに、自身の長さに沿って走る３本の溝１１を備える。各溝１１は、脚が応力を受けない状態にあるときにロッド１０がロック７の中を自由に動くことができるように、ロック固定脚８を受ける。駆動ロッド１０はさらに、ロック７が駆動ロッド１０から滑り落ちるのを防ぐために両端にフランジを備える。投与量ノブ３と反対の端において、駆動ロッド１０はカートリッジのゴム栓に当接する。ゴム栓と接触する端と反対の駆動ロッド１０の端におけるフランジは傾斜面を有しているため、ロック７が駆動ロッド上に組立てられると、その円錐形が、脚８が外側に曲がってフランジを通り越すように脚８を押す。しかし、ロック固定脚８は一旦フランジを通り越すと、戻ってフランジを通り越せないようになっている。
【００２３】
ドラム１２も主要筐体１内に同軸に配置される。ドラムは、ドラムシリンダ部１３およびドラムトラック部１４を備える。ロック７はドラム１内に同軸に設置され、上述のように駆動ロッド１０はロックを貫通している。ドラムシリンダ部１３は、内面に多数のドラムスプライン１５を備える（図７Ａ参照）。ドラムスプラインは、投与量ノブ３が回転するとドラム１２も対応して回転する一方でドラム１２および投与量ノブ３が互いに軸方向に動くことができるように、投与量ノブスプライン６に係合する。一連のドラム歯１６もドラム１２の内面に配置されており、ドラム歯はロック歯９に係合するように構成される。ドラム歯１６とロック歯９とが係合すると、ロック固定脚８はドラム１２の傾いた内面を押し、内面は脚に応力を加えて駆動ロッド１０をグリップさせる。投与量ノブ３を回転させると、ドラム歯１６がロック歯９の上を動くため、ロック７がドラム１２から離れるようにおよびドラム１２に向かって軸方向に前後に動き、ロック固定脚８が駆動ロッド１０に対する摩擦によるグリップを放す。ロック固定脚８をグリップ位置に付勢するために、巻かれた付勢ばねがロック７の一端およびドラム１２の他端に取付けられる。これによって、確実にロック７がドラム１２に向かって促されて駆動ロッド１０との摩擦によるロック固定を維持する。
【００２４】
ドラムシリンダ部１３はさらに、シリンダの外面に沿った螺旋経路に印刷された一連の番号を備える。筐体１の窓（図示せず）によって、使用者がこれらの番号を一度に１つずつ見ることができる。番号は、投与量ノブ３を回す際に使用者が設定可能な薬の投与量単位に対応する。一連の番号に加えて、ドラムシリンダ部１３には緑の帯も印刷される。注射器が使用可能な状態であり、かつ投与量が設定されていない場合、窓から緑の帯が見える。投与量ノブ３を回転させることによって投与量を設定しているとき、番号が緑の帯に取って代わる。もちろん、注射器が使用可能状態であることを示すために緑の帯の代わりにどのような色またはパターンを用いてもよい。
【００２５】
トラック部１４は、自身の外面に螺旋トラック１７を備え、トラック部１４の一端に突き出たトラック斜面１８を備える。トラック部は、別個の構成部品として形成されるシャーシ１９と同軸であり、シャーシ１９内に設置される。シャーシ１９は、筐体１と同軸であり筐体１内に設置され、かつ筐体１に対して動くことができない円筒形の構成部品であり、駆動ロッド１０がその中を動くことができる開口を有する。シャーシ１９は、駆動ロッド溝１１に係合する突起部も備えており、そのため確実に駆動ロッド１０が筐体１に対して回転不可能となる。シャーシ１９は、トラック斜面１８と協働するように構成されるシャーシ斜面２０を備えているため、ドラム１２が筐体１（シャーシ１９が固定されている）に対して回転運動する際にこれら２つの斜面がぶつかると、斜面は互いに摺動し、ドラム１２が筐体１に対してシャーシ１９から離れるように軸方向に動く。シャーシはさらに、トリガ４に係合するように構成される、突き出た反作用面２１を備える。
【００２６】
トリガ４によって使用者が一回分の薬を発射することができる。トリガ４は下方トリガ
部２２と協働する。下方トリガ部は、筐体１内に突き出た、突き出たカム従動子２３を有する。下方トリガ部２２は、カム従動子２３がドラム１２の螺旋トラック１７に係合したり係合から外れることができるように、筐体に対して動くことができる。トリガ４は、トリガ４の下側から筐体１に向かって突き出たトリガブレーキ２４を備える。
【００２７】
トリガ４には、軟質プラスチックオーバーモールドカバー（図示せず）が与えられ得る。そのようなオーバーモールドの利点は、トリガ４を押すとトリガ４の後部２５におけるオーバーモールドが圧縮されることである。トリガ４を放すと、オーバーモールドの弾性によってトリガ４が静止位置に戻るように促される。代替的に、板ばねを設けてトリガ４を静止位置に戻してもよい。
【００２８】
つば２６が筐体１の端に取付けられるように設けられ、そこから投与量ノブ３が突き出る。つば２６は、投与量ノブ３が設置される開口を有する環状部を備える。つば２６はさらにつば板２７を備え、これは、トリガ４とドラムシリンダ１３との間に設置されるように筐体１内に長手方向に延在する。
【００２９】
ペン注射器が組立てられると、ゼロ投与量を示す緑の帯を筐体１の窓から見ることができ、装置が使用可能な状態であることが示される。使用者が投与量ノブ３を回転させて必要投与量を設定すると、ドラムスプライン１５に係合した投与量ノブスプライン６によって、ドラム１２が確実に回転する。カム従動子２３はドラムシリンダ１３の外面に載っており、螺旋トラック１７に係合していない。ドラム１２がシャーシ１９内で回転すると、トラック斜面１８がシャーシのベースの周りを動く。しかし、シャーシ１９に対するドラム１２の軸方向運動はなく、したがって投与量は設定されていない。トラック斜面１８は、カチッとした音が聞こえることなくシャーシのベースの周りを動き、緑の帯が筐体１の窓に見え続ける。トラック斜面１８がシャーシ斜面２０と接触すると、斜面１８と２０との間の協働によってドラム１２がシャーシ１９から離れるように軸方向に動く。ドラム１２がシャーシ１９から離れるように軸方向に動くと、螺旋トラック１７が動いて、下方トリガ部２２のカム従動子２３が螺旋トラック１７に落ちる。この軸方向運動によってまた、ドラムシリンダ１３の緑が印刷された帯が筐体１の窓から離れるように動き、螺旋状に印刷された一連の番号の最初の番号が窓から見えるようになる。協働する斜面１８、２０を用いるのでシリンダドラムの外周全体に緑の帯を印刷することができ、その結果、設定すべき別の投与量にペン注射器が使用可能であるとき、ドラム１２が筐体１に対してどのような回転角度に配置されているかにかかわらず、緑の帯が常に窓から見える。
【００３０】
投与量ノブ３をさらに回転させるとドラム１２が回転し、カム従動子２３が螺旋トラック１７に係合しているため、この回転運動と同時にドラム１２がシャーシ１９から離れるようにさらに軸方向に動き、その結果ばね５が圧縮される。この軸方向運動は、ドラム１２を投与量ノブシリンダ内にさらにはめ込むことによって筐体内に収容される。使用者は、ドラムシリンダ１３に印刷された番号を筐体の窓から見ることができ、必要な投与量を設定することができる。番号を１つずつ増加させると、ドラム歯１６がロック歯９の上を動くことによって生じるカチッという音が聞こえる。使用者が高すぎる投与量を設定した場合、投与量ノブ３を逆回転させることによって減らすことができる。
【００３１】
必要投与量が設定されると、ロック７は、駆動ロッド１０をドラム１２に対して所定の位置にロック固定する。使用者は次に皮膚に針を刺し、下方トリガ部２２が旋回してカム従動子２３を上昇させて螺旋トラック１７との係合から外すのに十分な力でトリガ４を押す。ばね５は緩んでロック７をシャーシ１９に向かって促し、それによってロック固定脚を促して駆動ロッド１０としっかりと係合させる。ドラム１２、ロック７および駆動ロッド１０はシャーシ１９に向かって促され、それによって駆動ロッド１０をカートリッジのゴム栓に押付けて、所望の投与量の薬を放出させる。
【００３２】
薬の放出速度を制御するために、使用者はトリガ４に余分な力を及ぼし、トリガ４はトリガブレーキ２４をつば板２７に押付ける。つば板２７は次にドラムシリンダ１３を押す。トリガ４を押すために用いる力の量を変えることによって、使用者はドラム１２、つば板２７およびブレーキ２４の間の摩擦力の量を変え、したがって、ばね５が緩むことによってドラム１２および結果的に駆動ロッド１０が前方に促される速さを制御する。つば板２７は、使用者によって加えられる力の負荷をドラム上に広げて構成部品の摩耗を減らし、またドラムシリンダ１３に印刷された番号が消えてしまう危険性を減らす。
【００３３】
シャーシに配置される反作用面２１は、下方トリガ部２２のカム従動子２３と接触しており、トリガ４によってドラム１２に加えられるいずれの望ましくない力も阻止する。ばね５の力は、その周りをトリガ４が動く旋回軸ではなく反作用面２１によって運ばれるため、公差および摩耗問題を軽減することができる。
【００３４】
ペン注射器の取扱いを誤ると、駆動ロッド１０がカートリッジのゴム栓との接触から外れてしまうおそれがある。これが起こると、一回分を放出する前に駆動ロッド１０が動いてゴム栓と接触しなければならないため、使用者は実際に吐出されることになる投与量よりも多い投与量を設定していると思ってしまうおそれがある。これを防止するために、内側に向いた指を有する弾性の環状円板がシャーシ１９に設置される。駆動ロッド１０をばね５によって促して一回分の薬を放出するとき、駆動ロッド１０は弾性円板２８の中心を貫通して、指を外側に広げる。広げられた指は駆動ロッド１０をグリップし、それによって駆動ロッド１０が筐体内に戻ろうとする如何なる動きも防止し、すなわち環状円板２８は一方向「弁」を形成する。これによって注射器の再利用も防止される。もちろん、注射器の再利用が必要である場合は、駆動ロッド１０が筐体１内に戻ることができるようにするために、解除可能なロック固定機構を用いてもよい。
【００３５】
ペン注射器は組立てられる際、カートリッジケース内の薬カートリッジとともに組立てられる。部品の公差のため、駆動ロッド１０の端はカートリッジの栓に係合しない場合があり、したがって注射器から放出される最初の投与量は、使用者が設定した投与量と全く同じではない場合がある。投与量は低すぎるか、または使用者が最初の投与量の薬の「空発射」を行って確実に駆動ロッドをゴム栓に完全に係合させる必要があるかのいずれか一方であり得る。空発射は高価な薬を無駄にするものであるが、使用者が最初の投与量の前に空発射を実行することを省略した場合、使用者は誤った投与量を自身に注入してしまうおそれがある。１つの解決策は、駆動ロッドを薬カートリッジ上に促すためのばねなどの付勢手段を設けることである。しかし、ペン注射器は長年保管されてから使用されることがあり、長期間にわたってカートリッジを圧力下に置いておくことは望ましくない。このため、投与量ノブ３には開口２９が設けられる。一旦ペンが組立てられると、細長い器具が投与量ノブ開口２９を貫通して駆動ロッド１０に押付けられ、駆動ロッドはこの器具によって押されてカートリッジと接触する。これによって、駆動ロッドが、放出すべき最初の投与量のためのカートリッジのベースにあること、しかしカートリッジが圧力下で保管されないことが確実になる。製造公差は、駆動ロッド１０が栓に係合してカートリッジを圧力下で保管するのではなく、栓とぴったりと係合しないように設定される。
【００３６】
第２の特定的な実施例では、つば板２７が不要である。図１０Ａを参照して、トリガおよびドラムが図示される。トリガは、ドラムの螺旋トラックの上に配置されたペグ３０を有するロッカースイッチのように形成される。ペグ３０が螺旋トラックと接触する（が係合はしない）ようにトリガを押すことによって、使用者は、ペグ３０と螺旋トラックの表面との間の摩擦を通して一回分の薬を放出する際にドラムが動く速度を制御することができる。
【００３７】
第３の特定的な実施例によると、ここでもつば板が不要である代替的な注射器が設けられる。図１０Ｂを参照して、螺旋トラック１７の溝の幅よりも大きいパッド３１がトリガ上に設けられる。使用者がトリガを押して一回分を発射する際、使用者が加えるさらなる力によって、パッド３１がドラムトラック１４の外面と接触し、ドラムトラック１４とパッド３１との間の摩擦によって、ドラムが前方に促される速さが低下する。
【００３８】
本発明の範囲から逸脱することなく、上記の実施例に対してさまざまな変更がなされ得ることが当業者に認識されるであろう。たとえば、上記の説明では、トリガを静止位置に戻すための板ばねが言及されている。板ばねおよびブレーキの両方として作用する単一の部品を用いてもよい。さらに、シャーシ１９は生産および組立を助けるために設けられるが、シャーシ１９は筐体１に対して固定されるため、シャーシ斜面２０および反作用面２１などのシャーシ１９の機能部分は筐体１と一体成形されてもよいことが認識されるであろう。
【００３９】
【表１】
2010508114.tif 000003
【図１】
2010508114.tif 000004
【図２】
2010508114.tif 000005
2010508114.tif 000006
【図４】
2010508114.tif 000007
【図５】
2010508114.tif 000008
【図６】
2010508114.tif 000009
【図７Ａ】
2010508114.tif 000010
【図７Ｂ】
2010508114.tif 000011
【図８Ａ】
2010508114.tif 000012
【図８Ｂ】
2010508114.tif 000013
【図９】
2010508114.tif 000014
【図１０Ａ】
2010508114.tif 000015
【図１０Ｂ】
2010508114.tif 000016
【図１０Ｃ】
2010508114.tif 000017
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
薬吐出装置であって、
筐体と、
使用時に薬含有カートリッジに係合する駆動シャフトと、
自動駆動体と、
自動駆動体が駆動シャフトを筐体を通して動かすようにするための、使用者が操作可能なトリガと、
使用者が薬の吐出速度を制御できるようにするための、使用者が操作可能なブレーキと、
投与量設定ノブと、
筐体内に装着され、投与量設定ノブに回転可能に結合されるドラムと、
ドラムの外面の周りの螺旋トラックとを備え、螺旋トラックは、トリガに配置されるカム従動子に係合するように構成される、薬吐出装置。
【請求項２】
ブレーキはトリガに配置されているため、使用時、トリガに対する圧力によってブレーキが作動する、請求項１に記載の装置。
【請求項３】
駆動体に配置される駆動体歯と、
駆動体歯に係合するように構成されるドラムに配置されるドラム歯とを備え、
使用時、ドラムが回転するとドラム歯が駆動体歯の上を動くため、歯が係合すると駆動体が駆動シャフトをロック固定し、歯が切離されると駆動体が駆動シャフトを放す、請求項１または２に記載の装置。
【請求項４】
ブレーキは、ドラムの動きを制限し、それによって駆動シャフトの動きを制限するように構成される、請求項３に記載の装置。
【請求項５】
筐体内に設置されるシャーシを備え、
ドラムは、シャーシ内に部分的に設置され、シャーシと同軸であり、
シャーシはさらに、カム従動子と接触するように構成される突起部を備える、請求項３
または４に記載の装置。
【請求項６】
シャーシに配置されるシャーシ斜面と、
ドラムに配置されるドラム斜面とを備え、
使用時、シャーシに対してドラムが回転すると斜面が協働して、ドラムを、シャーシから離れるように軸方向に、カム従動子が螺旋トラックに係合できる位置にまで動かす、請求項５に記載の装置。
【請求項７】
筐体に対して固定されるロック固定円板をさらに備え、
ロック固定円板は、駆動シャフトが貫通可能な開口を有し、
ロック固定円板はさらに、ロック固定円板が駆動シャフトの一方向のみの動きを許すように、駆動シャフトをグリップするように構成される内側に向いた指を備える、先行する請求項のいずれか１つに記載の装置。
【請求項８】
トリガ上に弾性オーバーモールドを備えているため、使用時、トリガの動作によってオーバーモールドが変形し、その後トリガを放すとオーバーモールドが当初の形状に戻ることができ、それによってトリガを当初の位置に戻すことができる、先行する請求項のいずれか１つに記載の装置。
【請求項９】
トリガと筐体との間に配置される板ばねを備え、
板ばねは、トリガを静止位置に向けて付勢する、請求項１から７のいずれか１つに記載の装置。
【請求項１０】
ブレーキは板ばねとしても作用する、請求項９に記載の装置。
【請求項１１】
投与量設定ノブの開口をさらに備え、これを通じて使用者は、薬含有部材と確実に接触するように駆動部材を操作し得る、請求項２に記載の装置。
【請求項１２】
薬吐出装置であって、
筐体と、
使用時に薬含有カートリッジに係合する駆動シャフトと、
自動駆動体と、
自動駆動体が駆動シャフトを筐体を通して動かすようにするための、使用者が作動可能なトリガと、
トリガに設置されるカム従動子とを備え、カム従動子は、駆動体に関連付けられた螺旋トラックに係合するように構成され、前記薬吐出装置はさらに、
筐体に対して固定され、カム従動子と接触するように構成される突出面を備える、薬吐出装置。
【請求項１３】
薬吐出装置であって、
筐体と、
筐体内で回転可能であり、自身の表面に形成された螺旋トラックを有するドラムと、
ドラムを筐体の中にねじ留めできるように前記トラックに係合可能なカム従動子と、
ドラムに設置される第１の斜面と、
筐体に対して固定される第２の斜面とを備え、
投与量設定時、ドラムが筐体に対して回転すると斜面が協働して、ドラムを筐体内で長手方向に動かし、それによってカム従動子を螺旋トラックに係合させる、薬吐出装置。
【請求項１４】
薬吐出装置であって、
筐体と、
使用時に薬含有カートリッジに係合する駆動部材と、
自動駆動体と、
自動駆動体が駆動シャフトを筐体を通して動かすようにする、使用者が作動可能なトリガと、
薬吐出装置の開口とを備え、これを通じて使用者は、薬含有部材と確実に接触するように駆動部材を操作し得る、薬吐出装置。
【請求項１５】
開口は投与量設定ノブにある、請求項１４に記載の薬吐出装置。
【国際調査報告】
2010508114.tif 000018
2010508114.tif 000019
2010508114.tif 000020
2010508114.tif 000021
2010508114.tif 000022